(57)【特許請求の範囲】
【請求項１】
天井等に取り付けられる支持具に、吊掛具を支持できるよう構成した吊掛装置において、支持具は、本体と裏蓋で収容部を形成して成り、本体には、収容部から外方に開口する挿脱孔と係合孔を連通して設け、裏蓋には、一端を付け根として、挿脱孔と係合孔の上方に位置して、係合孔側にある付け根から挿脱孔の方向に伸びる舌片状の押圧部を設けて成り、吊掛具は、一端部には支持具に支持される挿入部を設けると共に、他端部には物干具等を吊り下げられる引掛部を設けて成り、挿入部は、挿脱孔より小さく係合孔より大きく形成し、支持具の押圧部は、下方に突出して弾性を有しており、吊掛具の挿入部を押圧できるように構成し、吊掛具の挿入部を支持具の挿脱孔から挿入して、押圧部の弾性に抗して押し上げて収容部に収容させ、係合孔の方向に横移動させて下方向に動かして、挿入部が係合孔に抜け止めされて、吊掛具が支持具に支持されるよう構成したことを特徴とする吊掛装置。
【請求項２】
押圧部は、付け根から先端に向かうにつれて徐々に下方に突出して傾斜していることを特徴とする請求項１記載の吊掛装置。
【発明の詳細な説明】
【技術分野】
【０００１】
本発明は、吊掛具の挿入部を支持具の挿脱孔から挿入して横移動させて、吊掛具を支持具に支持できるようにしたもので、主に、室内の天井に２つを一対として取り付けて物干竿を掛け渡したり、あるいは、単独で取り付けて物干具や観葉植物等を吊り下げて使用する吊掛装置に関するものである。
【背景技術】
【０００２】
従来より、吊掛具の挿入部を支持具の挿脱孔から挿入して横移動させて、吊掛具を支持具に支持できるようにした吊掛装置として、特開２００４−２５５１１４号公報に記載された発明（従来例）が提案されている。
【０００３】
上記従来例は、収容体を有する支持具と、挿入部及び引掛部を有する吊掛具とから成る吊掛装置において、支持具の収容体には、正面に挿脱孔を設けると共に底面に係合孔を設け、挿脱孔と係合孔を連通孔によって連通して成り、吊掛具の挿入部は、挿脱孔より小さく係合孔より大きく形成すると共に、上面にほぼ平らな摺接面を形成し、収容体の内部上面には、挿脱孔より徐々に突出して傾斜するほぼ平らな導入面を設けて成り、吊掛具の挿入部が支持具の挿脱孔より挿入されて係合孔に係合して、吊掛具が支持具に支持されるように構成し、吊掛具の摺接面を導入面と同じように傾斜させて接触あるいは近接させるようにした状態でのみ、吊掛具の挿入部が支持具の挿脱孔より挿脱可能になるように構成したことを特徴とする吊掛装置である。
【先行技術文献】
【特許文献】
【０００４】
【特許文献１】特開２００４−２５５１１４号公報
【発明の概要】
【発明が解決しようとする課題】
【０００５】
上記従来例においては、２つを一対として取り付けて、それぞれ支持具に吊掛具を吊り下げて、それらの引掛部に掛け渡してある物干竿を取り外す際に、吊掛具を斜め上方向に押し上げてしまい、挿入部が収容体から離脱して吊掛具が外れてしまうことがあるという問題があり、本発明は、簡単な構造でこの問題を解決し、吊掛具が使用中に意に反して容易に脱落して落下してしまうことがなく、なおかつ、着脱の操作がやりにくくくなるという支障もないような吊掛装置を提供することを課題としている。
【課題を解決するための手段】
【０００６】
本発明は、上記課題を解決するものであり、請求項１の発明においては、天井等に取り付けられる支持具に、吊掛具を支持できるよう構成した吊掛装置において、支持具は、本体と裏蓋で収容部を形成して成り、本体には、収容部から外方に開口する挿脱孔と係合孔を連通して設け、裏蓋には、一端を付け根として、挿脱孔と係合孔の上方に位置して、係合孔側にある付け根から挿脱孔の方向に伸びる舌片状の押圧部を設けて成り、吊掛具は、一端部には支持具に支持される挿入部を設けると共に、他端部には物干具等を吊り下げられる引掛部を設けて成り、挿入部は、挿脱孔より小さく係合孔より大きく形成し、支持具の押圧部は、下方に突出して弾性を有しており、吊掛具の挿入部を押圧できるように構成し、吊掛具の挿入部を支持具の挿脱孔から挿入して、押圧部の弾性に抗して押し上げて収容部に収容させ、係合孔の方向に横移動させて下方向に動かして、挿入部が係合孔に抜け止めされて、吊掛具が支持具に支持されるよう構成したことを特徴とする吊掛装置であり、請求項２の発明においては、押圧部は、付け根から先端に向かうにつれて徐々に下方に突出して傾斜していることを特徴とする請求項１記載の吊掛装置である。
【発明の効果】
【０００７】
以上のように請求項１の発明によれば、簡単な構造でありながら、使用中に一対の吊掛具の引掛部から物干竿を取り外す際に、吊掛具を斜め上方向に押し上げて横に移動させる力がかかったとしても、吊掛具の挿入部が下方に突出している押圧部に当接するので、挿入部は、容易に上方向に移動し横に移動して支持具の挿脱孔から離脱することがなく、なおかつ、押圧部は片持ちの板ばねなので、着脱の操作をする際には、適度な抵抗感があるだけで支障はないという効果がある。
【０００８】
また、押圧部は、係合孔側にある付け根から挿脱孔の方向に伸びる舌片状であるので、特に、吊掛具の挿入部を支持具の挿脱孔に挿入した際に、押圧部の付け根から離れた部分、つまり弾性力が弱く変形させやすい部分を押すことになって、挿入しやすいという効果がある。
【０００９】
さらに、請求項２の発明によれば、上述のように挿入部を挿入しやすい効果に加えて、押圧部は、付け根から先端に向かうにつれて徐々に下方に突出して傾斜しているので、その傾斜に沿って横方向に移動しやすく、吊掛具を支持具に取り付けやすいという効果がある。
【図面の簡単な説明】
【００１０】
【図１】使用状態を示す斜視図。
【図２】吊掛具の挿入部を支持具の挿脱孔に挿入した状態の支持具の縦断面図。
【図３】吊掛具の挿入部を支持具の挿脱孔に挿入した後係合孔方向に横移動させた状態の支持具の縦断面図。
【図４】吊掛具の挿入部を支持具の係合孔に係合させた状態の支持具の縦断面図。
【図５】下から見た支持具の分解斜視図。
【図６】上から見た支持具の分解斜視図。
【実施例１】
【００１１】
本発明の吊掛装置は、天井に取り付けられる支持具１に、吊掛具２を着脱可能に取り付けて使用するものであり、支持具１は、金属製の本体３の中に合成樹脂製の掛受具５を収容して、合成樹脂製の裏蓋４を被せて構成されている。
【００１２】
本体３は、略円盤状で上面を開口させて収容部７を設けてあり、その底面には、中央からずれた位置に大径の挿脱孔８を設け、中央にこの挿脱孔８に連通するやや小径の係合孔９を設け、挿脱孔８と係合孔９で境目がくびれたひょうたん形の孔を形成している。挿脱孔８と係合孔９との境目には、それぞれ上方に突出する突部１０・１０を設けてある。
【００１３】
また、本体３の収容部７には、係合孔９を挟んで挿脱孔８の反対側に円形の嵌合孔１１を設け、さらに、本体３の外周縁内面には、収容部７を挟んで、一対の方形状の嵌入孔１２・１２及び一対の長孔状の取付孔１３・１３をそれぞれ相対向するように設けてある。
【００１４】
本体３の収容部７の中に収容される掛受具５は、係合孔９の縁を覆うように円弧状の受止部１７を設け、本体３の嵌合孔１１に対応する位置に孔１８を設けてある。
【００１５】
裏蓋４は、本体３の収容部７の上面開口を塞ぐよう被せて設けられるもので、中央部分に、一端部の係合孔９側にある付け根から、挿脱孔８側に向うにつれて徐々に下方に突出して傾斜し弾性を有する板ばね状の押圧部１４を設け、その付け根近傍に下方に真っ直ぐ突出する断面円形の嵌合突起１５を設け、押圧部１４の先端部両側に外側に弾性変形する一対の嵌入脚１６・１６を設けてある。この裏蓋４は、押圧部１４を含む上述の構成全体を合成樹脂で一体成型されている。
【００１６】
そして、本体３の収容部７に掛受具５を収容した後、嵌合突起１５を掛受具５の孔１８と本体３の嵌合孔１１に、嵌入脚１６・１６を本体３の嵌入孔１２・１２に嵌め込んで、本体３に裏蓋４及び掛受具５を取り付けて組み立てられるものである。
【００１７】
カバー６は、本体３の挿脱孔８及び係合孔９に対応する位置に、略楕円形状の開口部１９を設けてあり、本体３を取付孔１３・１３に取付ネジ（図示せず）で天井等に取り付けた後、外観を良好にするために本体３に被せるものである。
【００１８】
吊掛具２は、シャフト２０の上端部に、下半分の略半球状に周囲に張り出して設けられる挿入部２２を設けると共に、下端部には、略雫型リング状の引掛部２１を設けて成るものである。
【００１９】
吊掛具２を、その上端部に設けられた挿入部２２を支持具１の本体３の挿脱孔８から少し斜めにした状態で挿入し、裏蓋４の押圧部１４の先端部を押して変形させて収容部７に収容させ（図２の状態）、中央の係合孔９方向に移動させ、挿入部２２が突部１０・１０を乗り越えて係合孔９の上部の位置にきたら真っ直ぐにし（図３の状態）、下方に移動させて挿入部２２を係合孔９に、掛受具５の受止部１７を介して係合させると、挿入部２２が収容部７に収容された状態で、吊掛具２が支持具１に吊り下げられて取り付けられ使用状態（図４の状態）となる。
【００２０】
吊掛具２の挿入部２２を挿入する際には、押圧部１４の付け根から離れた先端部を押圧するので、弾性力が弱く押圧しやすく、さらに、中央の係合孔９方向に移動させる際には、押圧部１４が一端部の係合孔９側方向に向けて傾斜しているので横移動させやすくなっており、取付の操作がしやすいものである。
【００２１】
吊掛具２が支持具１に取り付けられた使用状態では、吊掛具２の挿入部２２は、支持具１裏蓋４の押圧部１４には接触しておらず、その弾性力によって吊掛具２の動きが制限されず、吊掛具２の引掛部２１に人が当たっても容易に揺動し怪我をしにくいようになっている。
【００２２】
吊掛具２は、少し斜めにした状態で挿入した方が、挿入部２２が突部１０・１０を乗り越えやすくなっているが、真っ直ぐの状態でも支持具１に吊り下げられるようになっている。
【００２３】
そして、この使用状態で吊掛具２の引掛部２１に、一対の場合は物干竿あるいは、単独の場合は物干具や観葉植物等を吊り下げて使用するものである。掛受具５は、支持具１の係合孔９と吊掛具２の挿入部２２の金属同士が接触しないよう配慮したものであり、必ずしも必要なものではない。
【００２４】
吊掛具２を支持具１から取り外すには、吊掛具２を、押圧部１４の弾性力に抗して挿入部２２が突部１０・１０を乗り越えるところまで持ち上げて、挿脱孔８方向に移動させてから下方へ移動させ、挿入部２２を挿脱孔８から抜き取ればよい。
【００２５】
また、使用状態では、吊掛具２に人が当たる等して上方への力が作用しても、挿入部２２が押圧部１４に当接するので、容易に上方へ移動することはなく、さらには、上方へ移動したとしても、その後突部１０・１０を乗り越えて挿脱孔８へ横移動することはほとんどなく、意に反して吊掛具２が支持具１から外れて落下する事故を未然に防止することができるものである。
【符号の説明】
【００２６】
１    支持具
２    吊掛具
３    本体
４    裏蓋
７    収容部
８    挿脱孔
９    係合孔
１４    押圧部
【図１】
0006713703.tif 000002
【図２】
0006713703.tif 000003
【図３】
0006713703.tif 000004
【図４】
0006713703.tif 000005
【図５】
0006713703.tif 000006
【図６】
0006713703.tif 000007